(57)【要約】【課題】仏壇を大型化することなく極めて簡単な構成で仏情感を高めつつ、仏壇内を所望とする色調に調整することが可能な神秘的な仏壇を提供する。て物情感を高めつつ小型化が可能な仏壇を提供することにある。【解決手段】仏壇は、内部に仏像体Ｂまたは仏像体が前面に描かれた掛軸Ｋを配置することが可能な仏壇である。仏壇内部に、仏像体Ｂまたは仏像体が前面に描かれた掛軸Ｋを直接にあるいは間接に照射するＬＥＤ光源３が設られている。【効果】仏壇の内部に、小型で高輝度に発光するＬＥＤ光源を用い、仏壇内全体を明るく保持する光と仏像体のご尊顔部分を照射する光とをそれぞれ同時に放射することが可能である。【選択図】　図２
0003098387.tif 000002
【実用新案登録請求の範囲】
【請求項１】
内部に仏像体（Ｂ）または仏像体が前面に描かれた掛軸（Ｋ）を配置することが可能な仏壇であって、
前記仏壇内部に、仏像体（Ｂ）または仏像体が前面に描かれた掛軸（Ｋ）を直接にあるいは間接に照射するＬＥＤ光源（３）が設けられていることを特徴とする仏壇。
【請求項２】
内部に仏像体（Ｂ）または仏像体が前面に描かれた掛軸（Ｋ）を配置することが可能な仏壇であって、
前記仏壇内部に、ＬＥＤ光源（３）と該ＬＥＤ光源（３）からの光を一側面から導光し対向する側面及び／又は正面から光放射することが可能な透光性の飾り板（４）が設けられていることを特徴とする仏壇。
【請求項３】
内部に仏像体（Ｂ）または仏像体が前面に描かれた掛軸（Ｋ）を配置することが可能な略箱状の厨子（２）を有する仏壇であって、
前記厨子（２）の側面に、ＬＥＤ光源（３）と該ＬＥＤ光源（３）からの光を一側面から導光し対向する側面及び／又は正面から光放射することが可能な飾り板（４）が設けられていることを特徴とする仏壇。
【請求項４】
前記厨子（２）の奥板内面に、前記飾り板（４）の側面から放射される光を正面方向に反射する背景板（５）が設けられており、
前記略箱状の厨子（２）上面から見て、前記飾り板（４）の延長線上と前記背景板（５）の成す角度は鈍角である請求項３記載の仏壇。
【請求項５】
前記背景板（５）が調光ミラーからなる請求項４に記載の仏壇。
【請求項６】
前記ＬＥＤ光源（３）はＬＥＤチップと該ＬＥＤチップからの光の少なくとも一部を吸収し他の波長の光を発光する蛍光物質とを有し、前記ＬＥＤチップからの光と前記蛍光物質からの光の混色からなる白色系の光を発光する請求項１ないし５のいずれかに記載の仏壇。
【請求項７】
前記飾り板（４）は光入光面（４Ａ）に複数の凹部（９）を有し、該凹部（９）内に前記ＬＥＤ光源（３）が配置されている請求項１ないし６のいずれかに記載の仏壇。
【請求項８】
前記飾り板（４）は、背面（４Ｄ）及び／又は正面（４Ｃ）に凹凸が形成されている請求項１ないし７のいずれかに記載の仏壇。
【請求項９】
前記飾り板（４）は光放射面（４Ｂ）に形状の異なる複数の凹凸が形成される請求項１ないし８のいずれかに記載の仏壇。
【請求項１０】
前記飾り板（４）は光入光面（４Ａ）から光放射面（４Ｂ）方向へ厚みが薄く形成された矩形形状である請求項１ないし９のいずれかに記載の仏壇。
【請求項１１】
前記飾り板（４）の内側に開閉自在な扉（６）が配置されており、前記扉（６）が開かれたときに、前記飾り板（４）の正面側あるいは外側にて扉（６）の背面が見えるように上面および下面に駆動ロッド（７）を有すると共に、前記扉（６）の背面には光反射層が形成されている請求項３ないし１０のいずれかに記載の仏壇。
【考案の詳細な説明】
【０００１】
【考案の属する技術分野】
本考案は、仏壇本体内部に配置される仏像体等を照明する機能を備えた仏壇に関する。特に、照明する光源の少なくとも一部に発光ダイオード（ＬＥＤ）を用いた仏壇である。
【０００２】
【従来の技術】
一般に、仏壇の扉である戸障子の内陣となる宮殿には、黄金等の仏像体や仏像体が前面に描かれた掛軸が祀られていると共に、ローソクや電球からなる灯明が前方両側に配置され、仏壇内は適度な明るさに照らされている。
【０００３】
また、菩薩像が前面に描かれた掛軸を仏壇内に配置し、後方の照明装置により掛軸を照射する。掛軸の前方にプリズム性を有するシートを配設することで、仏壇内に赤、青、緑の分光色を照射することが可能な神秘性の高い仏壇が知られている。
【０００４】
【特許文献１】
特開平７−１２４０４８号公報
【０００５】
【考案が解決しようとする課題】
しかしながら、仏像体や掛軸に描かれた仏像体として輝きの少ない黄金色からなる趣の深いものが主流となりつつあり、従来の電球や蛍光灯を用いた照明では仏像体のご尊顔を明確に拝見することができない。特に、仏壇には漆が塗られているものが多く、直射日光が入らないところに置かれる。通常、仏壇内部は漆や金箔で覆われているため、上述のごとき従来の照明では特に明確に拝見しがたい場合がある。また、仏壇の後方に別途照明装置を具備させることは、仏壇の小型化が望まれている現在において好ましくなく、仏間に収納不可能となる場合もある。
【０００６】
したがって、本考案は、仏壇を大型化することなく極めて簡単な構成で仏情感を高めつつ、仏壇内を所望とする色調に調整することが可能な神秘的な仏壇を提供する。
【０００７】
【課題を解決するための手段】
本考案者は、仏壇の内部に、小型で高輝度に発光するＬＥＤ光源３を用い、仏壇内全体を明るく保持する光と仏像体のご尊顔部分を照射する光とをそれぞれ同時に放射することが可能な仏壇を考案した。すなわち、内部に仏像体Ｂまたは仏像体が前面に描かれた掛軸Ｋを配置することが可能な仏壇であって、仏壇内部に、仏像体Ｂまたは仏像体が前面に描かれた掛軸Ｋを直接にあるいは間接に照射するＬＥＤ光源３が設られている仏壇である。
【０００８】
本考案の請求項２の仏壇は、内部に仏像体Ｂまたは仏像体が前面に描かれた掛軸Ｋを配置することが可能な仏壇であって、仏壇内部にＬＥＤ光源３とＬＥＤ光源３からの光を一側面から導光し対向する側面及び／又は正面から光放射することが可能な透光性の飾り板４が設けられている仏壇である。
【０００９】
また、本考案の請求項３の仏壇は、内部に仏像体Ｂまたは仏像体が前面に描かれた掛軸Ｋを配置することが可能な略箱状の厨子２を内蔵することができる仏壇であって、厨子２の側板に、ＬＥＤ光源３と該ＬＥＤ光源３からの光を一側面から導光し対向する側面および正面から光放射することが可能な飾り板４が設けられていることを特徴とする。これにより、仏壇の大型化および仏壇内部の窮屈感等を引き起こすことなく、仏壇内を所望とする雰囲気に調整することができる。
【００１０】
本考案の請求項４に記載の仏壇は、厨子２の奥板内面に、飾り板４の側面から放射される光を正面方向に反射することが可能な背景板５を有する仏壇である。特に、背景板５は、略箱状の厨子２上面から見て飾り板４の延長線上と鈍角を成す角度で配置されていることが好ましい。このように仏壇内に設けられた背景板５を光反射板として配置することにより、ＬＥＤ光源３から発光される光を有効利用し、仏像体Ｂを後方からも照射することが可能となる。
【００１１】
本考案の請求項５に記載の仏壇は、調光ミラーからなる背景板５を用いたものである。これにより、背景板５に様々な模様を表示することができる。調光ミラーは金属マグネシウムと金属ニッケルを同時スパッタして形成することができる。電気でのスイッチングにより調光ミラーを、外部から入ってくる光を比較的自由に調整することができるので、ＬＥＤ光源３からの光と相まって仏情感をさらに高めることもできる。
【００１２】
本考案の請求項６に記載の仏壇は、ＬＥＤチップとＬＥＤチップからの光の少なくとも一部を吸収し他の波長の光を発光することが可能な蛍光物質とを有し、ＬＥＤチップからの光と蛍光物質からの光の混色からなる白色系の光を発光するＬＥＤ光源３を用いたものである。このような白色系ＬＥＤ光源３は、複数のＬＥＤチップを備えた白色系光源よりもさらに小型化することが可能であり、仏壇内にほとんど目立たなく設置することができる。また、蛍光物質の種類や量を調整することにより、青みがかった白色から赤味がかった暖色系の白色まで、さまざまな白色光を発光することができる。
【００１３】
本考案の請求項７に記載の仏壇は、飾り板４の光入光面４Ａに複数の凹部９を有し、その凹部９内にＬＥＤ光源３が納入されているものである。これにより、飾り板４は、ＬＥＤ光源３からの光を効率良く導光することができる。また、各ＬＥＤ光源３の発光色をそれぞれ駆動可能とすると、仏壇内の明るさに動的な勾配を付けることができる。
【００１４】
本考案の請求項８に記載の仏壇は、飾り板４の背面４Ｄ及び／又は正面４Ｃに凹凸が形成されている仏壇である。これにより飾り板４は、正面４Ｃからを均一な光を発光する面状光源となり、仏壇内を高輝度に照らすことができる。また、飾り板４に設けられた凹凸を利用して花飾りや仏像体など所望の意匠８を形成することにより、ＬＥＤ光源３からの光を反射・散乱させることで、更に幻想的な雰囲気を醸し出すことも可能となる。
【００１５】
本考案の請求項９に記載の仏壇は、飾り板４の光放射面４Ｂに形状の異なる複数の凹凸が形成されているものである。これにより、飾り板４の光放射面４Ｂの上下方向において、所望とする明暗ムラを構成することができる。例えば、端面の凹凸として、端面に切り欠きを入れる。切り欠きを飾り板４の上方及び下方は小さく、仏像体Ｂのご尊顔近傍は他の部位よりも切り欠きを大きくすることで、ご尊顔近傍が最も明るく、上下方向に離れるにつれて暗くすることができる。このように、所望に応じて飾り板４の端面における凹凸形状を上方が大きく、下方にいくにつれ徐々に小さくする。上方が小さく下方にいくにつれ徐々に大きくするなど種々の形状を取りうることができる。同様に、端面に設けられた凹凸の形状も切り欠きだけでなく、種々の形状を用いることができる。
【００１６】
本考案の請求項１０に記載の仏壇は、光入光面４Ａから光放射面４Ｂ方向へ厚みが薄く形成された矩形形状の飾り板４を用いたものである。これにより、飾り板４の光入光側から光放射側まで効率良く光を導光することができる。飾り板４の背面４Ｄ及び／又は正面４Ｃに凹凸があり、且つ厚みが変化している場合には、ＬＥＤ光源３からの光が凹凸及び厚みの変化に応じて反射・散乱されるため装飾性を更に高めることが可能となる。
【００１７】
本考案の請求項１１に記載の仏壇は、飾り板４の内側に開閉自在な扉６が配置されており、扉６が開かれたときには、飾り板４の正面側あるいは外側にて扉６の背面が見えるように上面および下面に駆動ロッド７を有すると共に、扉６の背面には光反射層が形成されているものである。これにより、前面の扉６を開いて仏像体Ｂを拝見する際には、仏壇内部全体をより一層明るくでき、且つ、扉６を閉じて仏像体Ｂを収納した際には、飾り板４のみが発光し、趣のある雰囲気を実現することができる。
【００１８】
【考案の実施の形態】
以下、本考案の実施例を図面に基づいて説明する。ただし、以下に示す実施例は、本考案の技術思想を具体化するための仏壇を例示するものであって、本考案は仏壇を下記のものに特定しない。
【００１９】
さらに、この明細書は、実用新案登録請求の範囲を理解し易いように、実施例に示される部材に対応する番号を、「実用新案登録請求の範囲の欄」、および「課題を解決するための手段の欄」に示される部材に付記している。ただ、実用新案登録請求の範囲に示される部材を、実施例の部材に特定するものでは決してない。
【００２０】
図１に示す仏壇は、唐木仏壇又は金仏壇の模式的正面図である。仏壇は、下台１２と下台１２上に配置される仏壇本体１が好適に配置されている。下台１２と仏壇本体１は、黒壇、紫壇、花梨、鉄刃木、桜、桑等を組み合わせて外観が略箱状に形成してある。仏壇本体１には、開口部内に厨子２を内蔵している。図２に示す平面図からもわかるように、仏壇本体１の側板１Ａの内面には、表面実装型ＬＥＤ光源３および透光性の飾り板４が配置されている。奥板１Ｂの内面には、光反射性の調光ミラーからなる背景板５が設けられている。背景板５は、飾り板４の光放射面４Ｂからの光を有効に利用し、所望とする背景を表現すると共に、前方の仏像体Ｂまたは掛軸Ｋを後方より照射している。また、略箱状の厨子２の上面から見て、飾り板４の延長線上と背景板５との成す角度は鈍角を成すように構成されており、これにより背景板５の全面に光を照射することができる。
【００２１】
厨子２は、前面に、左右に開閉できる扉６を備える。扉６は、図２の平面図に示すように、中間蝶番１３を介して中間で折曲できるように連結している２枚扉で、固定蝶番１４を介して仏壇本体１に連結されている。中間蝶番１３を介して折曲できるように連結している先端側の扉６は、互いに当接する先端部の上面および下面に駆動ロッド７を上下に突出して固定している。駆動ロッド７は、図の鎖線で示すように、天板に設けられたスリット１５を上下に貫通しており、天板の上面に配設される駆動機構（図示せず）に連結されて、この駆動機構で駆動される。この扉６は、図に示すように、閉じた際には飾り板４の内側に位置するように配置している。また、この扉６は、図の鎖線で示すように、開いた際には、飾り板４の正面側に位置して扉６の背面が見えるように配置している。すなわち、開閉自在な扉６は、駆動ロッド７を介して開閉されて、飾り板４の内側と飾り板４の正面側とに移動するように構成している。なお、扉６の背面には光反射層が形成され仏壇全体を荘厳な雰囲気とさせている。
【００２２】
本実施の形態では、ＬＥＤ光源３として、電極が挿入されてなる矩形型パッケージの中央凹部内に、青色を発光するＬＥＤチップが載置されている。また、ＬＥＤチップからの光の少なくとも一部を吸収し黄色の波長の光を発光することが可能な蛍光物質が含有されてなる透光性樹脂を凹部内に充填して発光面を形成している。このような本実施の形態では暖色系白色発光ＬＥＤ光源３を用いているが、ＬＥＤ光源として青色、緑色及び赤色が各々発光可能な複数個のＬＥＤチップを用いても良い。各ＬＥＤチップの発光を切り替えることで所望の発光色を得ることもできる。即ち、各ＬＥＤチップに供給する電流をそれぞれ調整することで、青色、緑色や赤色など順に点灯させることもできるし、各色の混色光として橙色や紫色などを発光させることができる。また、駆動回路によりＬＥＤ光源に供給する電流を調整することで、複数のＬＥＤ光源を順に点灯させることも各ＬＥＤ光源の発光色を順次変えることも自由に設定させることが可能となる。
【００２３】
ＬＥＤ光源３の光を導光する飾り板４は、矩形型のガラス板やアクリル板などから構成することができる。飾り板４の光入光面４Ａには、複数の凹部が形成されており、凹部内に表面実装型ＬＥＤ光源３がはめ込まれ固定されている。一方、光入光面４Ａと対向する光放射面４Ｂには、ＬＥＤ光源３からの光を上方へ指向することが可能な複数の切り込み（図示せず）を有している。これにより、厨子２内部に配置される仏像体Ｂのお尊顔や掛軸Ｋの文字や絵柄を局部的に照明することができ、仏壇内の仏情感を高めることもできる。また、発光面となる飾り板４の正面４Ｃには唐草、菊、牡丹などの花模様や鳥獣などの花鳥風月、菩薩、羅漢、天人や家紋など所望の意匠が彫刻されており、正面４Ｃと対向する背面４ＤにはＬＥＤ光源３からの光を反射散乱することが可能な凹凸が形成されている。これらの意匠や凹凸はどちらか一方の片面だけに設けることもできる。また、本実施の形態ではＬＥＤ光源３からの光を正面４Ｃや背面４Ｄからも放出させるように彫刻などを施した例を示しているが、飾り板の正面及び／又は背面に所望の意匠にカッティングされた光反射性のフィルムを貼り付けても良い。さらに、図に示す飾り板４は、厚みが光入光面４Ａ側から光放射面４Ｂ方向へ向かって薄く形成されている。この飾り板４は、ＬＥＤ光源３からの光を正面４Ｃから発光すると共に、光放射面４Ｂから高輝度に光を照射することができる。本実施の形態における仏壇の各構成は、内部に収納させる物品によって種々の大きさにすることができることはいうまでもない。また、飾り板は、仏壇内に左右それぞれ複数段設けることもできる。さらに、飾り板を本考案の構造を持った欄間として構成することもできる。さらにまた、調光ミラーは背景板としてだけではなく、飾り板に利用することもできる。
【００２４】
次に、本考案による別の実施の形態について、図３ないし図５を用いて説明する。図３と図４は仏壇本体の天板を除去した状態を示す平面図であり、図５は、仏壇本体の模式的分解斜視図を示している。この仏壇本体１は、上記実施の形態と同様に、唐木仏壇又は金仏壇のごとき構成とすることができる。また、仏壇本体１は黒壇、紫壇、花梨、鉄刃木、桜、桑等を組み合わせて外観が略箱状に形成してある。仏壇本体１の側板１Ａの内側には、砲弾型ＬＥＤ光源３と光学的に接続され、裏面に意匠８が切り欠きされた透光性ガラスからなる飾り板４が設けられている。奥板１Ｂの内面には、光反射性の調光ミラーからなる背景板５が設けられている。背景板５は、飾り板４の光放射面４Ｂからの光を有効に利用し、所望とする背景を表現すると共に、前方の仏像体Ｂまたは掛軸Ｋを後方より照射している。飾り板４の延長線上と背景板５との成す角度は鈍角を成すように構成されている。
【００２５】
さらに、仏壇本体１は、前面に、左右に開閉できる扉６を備える。扉６は、図３と図４の平面図に示すように、中間蝶番１３を介して中間で折曲できるように連結している２枚扉で、固定蝶番１４を介して仏壇本体１に連結されている。中間蝶番１３を介して折曲できるように連結している先端側の扉６は、互いに当接する先端部の上面および下面に駆動ロッド７を上下に突出して固定している。駆動ロッド７は、図５に示すように、天板１Ｃに設けられたスリット１５を上下に貫通しており、天板１Ｃの上面に配設される駆動機構（図示せず）に連結されて、この駆動機構で駆動される。この扉６は、図３に示すように、閉じた際には飾り板４の内側に位置するように配置している。また、この扉６は、図４に示すように、開いた際には、中間蝶番１３で折り畳まれて飾り板４の正面側に位置して、扉６の正面が見えるように配置している。図５では、正面右側は、扉６が閉められた状態を示し、正面左側は、扉６を半分開いた状態を示している。扉６を半分開いた状態では飾り板４が半分隠れた状態となる。なお、本考案の実施の態様では、背景板５をより明るく照らすために上方に開口部１０を設け、そこから別の光源で仏壇内部を照射するようにしてある。この光源は、飾り板４の端部に設けられたＬＥＤ光源３とは異なり、仏壇上方に配置されるため比較的空間的なスペースをとりやすいので、ＬＥＤ光源を用いても良いし通常の電球や蛍光灯を用いることもできる。
【００２６】
本実施の形態では、ＬＥＤ光源３として、青色が発光可能なＬＥＤチップを用いた砲弾型の発光ダイオード、緑色が発光可能な砲弾型の発光ダイオード及び赤色が発光可能なＬＥＤチップを用いた砲弾型の発光ダイオードを３種類使用している。各発光ダイオードに供給する電流をそれぞれ調整することで、上述と同様に種々の混色光を発光させることができる。また、駆動回路によりＬＥＤ光源に供給する電流を調整することで、各ＬＥＤ光源を順に点灯させ発光色を順次変えることも自由に設定させることが可能となる。
【００２７】
本実施態様では、ＬＥＤ光源３の光を導光する飾り板４は、矩形型のガラス板の光が入射される端面と放射される端面の両方に、透光性樹脂カバー１１を設けて形成させてなる。図６に示すように飾り板４の光入光面４Ａには、飾り板４の端面を被覆する透光性樹脂カバー１１に複数の凹部９が形成されており、凹部９とＬＥＤ光源３が光学的に接続されている。ＬＥＤ光源３は、飾り板４の端面に沿った細長いガラスエポキシ基板上に砲弾型発光ダイオードを配置固定させている。この基板の導電性パターンと駆動回路とを接続させることで上述のごとき所望の発光を得ることができる。他方、光入光面４Ａと対向する飾り板４の光放射面４Ｂにも、飾り板４の端面を被覆する透光性樹脂からなるカバーが設けられており、この透光性樹脂カバー１１自体に複数の凹部（図示せず）が切り欠きのごとく形成されている。本実施の形態では光入光面４Ａ側の透光性樹脂カバー１１と同様なものを光放射面４Ｂ側にも設けてある。これにより、凹部９が飾り板４の光放射面４Ｂ側端面に設けられた形状の異なる複数の凹凸として働く。これにより、凹凸を有する透光性樹脂カバー１１を飾り板４に設けることで、加工が難しいガラス板を用いた飾り板の場合であっても、ＬＥＤ光源からの光を飾り板に均一に光を入射させることができる。また、飾り板４からはＬＥＤ光源３からの光を所望の場所に局部的に照明することもできる。また、飾り板の端面が柔らかい樹脂で被覆されることによりＬＥＤ光源からの光を入放出効率の向上だけでなく、取扱性も飛躍的に向上することとなる。飾り板４には、唐草、菊、牡丹などの花模様や鳥獣などの花鳥風月、菩薩、羅漢、天人や家紋など所望の意匠８が彫刻されており、その彫刻だけでＬＥＤ光源３からの光を正面方向や背面方向に反射散乱させることもできる。なお、所望に応じて透光性樹脂カバーは、光入光面側及び光放射面側で凹凸の形状を種々変えられることはいうまでもない。
【００２８】
以上の実施例の仏壇は、仏壇本体１の両側の側板１Ａの内側に配置された飾り板４の内側に、開閉できる扉６を備えている。ただ、本考案の仏壇は、飾り板４の内側に扉６を設けることなく、図７に示すように飾り板４の外側に、開閉できる扉６を設けることもできる。この仏壇も、側板１Ａの内側に配置される飾り板４の光入光面４ＡにＬＥＤ光源３を配設しており、ＬＥＤ光源３の光を飾り板４に透過させて仏壇本体１の内部に配置された仏像体Ｂや掛軸Ｋに照射する構造としている。
【００２９】
【考案の効果】
本考案の仏壇は、高輝度に発光することが可能なＬＥＤ光源の光を、目的に応じた場所に分散させて放射することができる。これにより、仏壇を大型化することなく極めて簡単な構成にて光沢度の低い仏像体に輝きを与え、仏情感を高めることができる。また、光源としてＬＥＤ光源を用いた場合は、球切れなどなく実質的に取り替えることが不要となる。さらに、ＬＥＤ光源は他の照明器具よりも小型であるためＬＥＤ光源からの光を直接目視させないようにすることができるため、目が疲れることも少ない。電球など他の照明器具よりも仏壇内部の昇温を抑制できるため、お供え物等を傷めることも少ない。
【図面の簡単な説明】
【図１】本考案の一実施例にかかる仏壇を示す模式的正面図
【図２】図１に示す仏壇の天板を除去した状態を示す模式的平面図
【図３】本考案の他の実施例にかかる仏壇の天板を除去した状態を示す模式的平面図であって、扉が閉まった状態を示す図
【図４】図３に示す仏壇の扉が開いた状態を示す平面図
【図５】図３に示す仏壇の模式的分解斜視図
【図６】図３の仏壇に用いられる飾り板の概略構成を示す斜視図
【図７】本考案の他の実施例にかかる仏壇の天板を除去した状態を示す模式的平面図
【符号の説明】
１…仏壇本体　　　　　　１Ａ…側面　　　　　　　１Ｂ…奥板
１Ｃ…天板
２…厨子
３…ＬＥＤ光源
４…飾り板　　　　　　　４Ａ…光入光面　　　　　４Ｂ…光放射面
４Ｃ…正面　　　　　　　４Ｄ…背面
５…背景板
６…扉
７…駆動ロッド
８…意匠
９…凹部
１０…開口部
１１…透光性樹脂カバー
１２…下台
１３…中間蝶番
１４…固定蝶番
１５…スリット
Ｂ…仏像体
Ｋ…掛軸
【図１】
0003098387.tif 000003
【図２】
0003098387.tif 000004
【図３】
0003098387.tif 000005
【図４】
0003098387.tif 000006
【図５】
0003098387.tif 000007
【図６】
0003098387.tif 000008
【図７】
0003098387.tif 000009